(57)【要約】【課題】表示されるオブジェクトに注意を向けやすくすることができる画像表示装置、画像供給装置、画像表示システム、画像表示方法、及び画像供給方法を提供する。【解決手段】画像表示システムは、画像を表示するプロジェクターと、プロジェクターに画像を供給する画像供給装置としてのＰＣ５とを備える。ＰＣ５は、電子ペンによる指示位置の座標を取得する座標取得部５３１と、電子ペンによる指示操作に応じたオブジェクトを描画する描画部５３２と、描画されたオブジェクトに応じた音声を出力する音声出力部５３５と、を備える。プロジェクターは、オブジェクトを含む画像を表示する。【選択図】図３
2016091448.tif 000002
【特許請求の範囲】
【請求項１】
画像を表示する表示部と、
指示体による指示位置の座標を取得する座標取得部と、
前記指示体による指示操作に応じたオブジェクトを描画する描画部と、
描画された前記オブジェクトに応じた音声を出力する音声出力部と、を備え、
前記表示部は、前記オブジェクトを含む画像を表示することを特徴とする画像表示装置
。
【請求項２】
請求項１に記載の画像表示装置において、
前記音声出力部は、前記指示操作が完了される直前の所定時間の間に前記指示位置が変
更されない場合には前記音声を出力し、前記所定時間の間に前記指示位置が変更されてい
た場合には前記音声を出力しないことを特徴とする画像表示装置。
【請求項３】
請求項１又は請求項２に記載の画像表示装置において、
前記表示部によって表示された前記オブジェクトの座標、及び、前記指示位置の座標に
基づいて、前記オブジェクトが選択されたか否かを判定する選択判定部を備え、
前記音声出力部は、前記選択判定部によって前記オブジェクトが選択されたと判定され
ると、前記音声を出力することを特徴とする画像表示装置。
【請求項４】
請求項１から請求項３のいずれか１項に記載の画像表示装置において、
前記描画部は、前記指示操作に応じたオブジェクトを描画した際に、前記オブジェクト
に応じた強調表示を行う強調表示画像を描画し、
前記表示部は、前記強調表示画像を含む画像を表示することを特徴とする画像表示装置
。
【請求項５】
請求項１から請求項４のいずれか１項に記載の画像表示装置において、
前記オブジェクトに応じて出力される音声を設定する設定画面を生成して、前記表示部
に表示させる設定画面生成部と、
前記設定画面にて設定された音声とオブジェクトとを関連付ける音声設定部と、を備え
、
前記音声出力部は、前記音声設定部により関連付けられた音声を、前記オブジェクトに
応じて出力することを特徴とする画像表示装置。
【請求項６】
画像を表示する画像表示装置に前記画像を供給する画像供給装置であって、
指示体による指示位置の座標を取得する座標取得部と、
前記指示体による指示操作に応じたオブジェクトを描画する描画部と、
前記オブジェクトを含む画像を生成し、生成された前記画像を前記画像表示装置に供給
する画像生成部と、
描画された前記オブジェクトに応じた音声を出力する音声出力部と、を備えることを特
徴とする画像供給装置。
【請求項７】
請求項６に記載の画像供給装置において、
前記音声出力部は、前記指示操作が完了される直前の所定時間の間に前記指示位置が変
更されない場合には前記音声を出力し、前記所定時間の間に前記指示位置が変更されてい
た場合には前記音声を出力しないことを特徴とする画像供給装置。
【請求項８】
請求項６又は請求項７に記載の画像供給装置において、
前記画像表示装置によって表示された前記オブジェクトの座標、及び、前記指示位置の
座標に基づいて、前記オブジェクトが選択されたか否かを判定する選択判定部を備え、
前記音声出力部は、前記選択判定部によって前記オブジェクトが選択されたと判定され
ると、前記音声を出力することを特徴とする画像供給装置。
【請求項９】
請求項６から請求項８のいずれか１項に記載の画像供給装置において、
前記描画部は、前記指示操作に応じたオブジェクトを描画した際に、前記オブジェクト
に応じた強調表示を行う強調表示画像を描画し、
前記画像生成部は、前記強調表示画像を含む画像を生成することを特徴とする画像供給
装置。
【請求項１０】
請求項６から請求項９のいずれか１項に記載の画像供給装置において、
前記オブジェクトに応じて出力される音声を設定する設定画面を生成して、前記画像表
示装置に表示させる設定画面生成部と、
前記設定画面にて設定された音声とオブジェクトとを関連付ける音声設定部と、を備え
、
前記音声出力部は、前記音声設定部により関連付けられた音声を、前記オブジェクトに
応じて出力することを特徴とする画像供給装置。
【請求項１１】
画像供給装置と、
前記画像供給装置から供給される画像を表示する画像表示装置と、
前記画像表示装置によって表示された前記画像における所定の部位を指示する指示体と
、を備え、
前記画像供給装置及び前記画像表示装置のいずれかは、
前記画像における前記指示体による指示位置の座標を取得する座標取得部と、
前記指示体による指示操作に応じたオブジェクトを描画する描画部と、
描画された前記オブジェクトに応じた音声を出力する音声出力部と、を備え、
前記画像表示装置は、前記オブジェクトを含む前記画像を表示することを特徴とする画
像表示システム。
【請求項１２】
画像表示装置を用いて行われ、画像を表示する画像表示方法であって、
指示体による指示位置の座標を取得し、
前記指示体による指示操作に応じたオブジェクトを描画し、
前記オブジェクトを含む前記画像を表示し、
描画された前記オブジェクトに応じた音声を出力することを特徴とする画像表示方法。
【請求項１３】
画像表示装置にて表示される画像を供給する画像供給装置を用いて行われ、前記画像を
供給する画像供給方法であって、
指示体による指示位置の座標を取得し、
前記指示体による指示操作に応じたオブジェクトを描画し、
前記オブジェクトを含む画像を生成して、生成された前記画像を前記画像表示装置に供
給し、
描画された前記オブジェクトに応じた音声を出力することを特徴とする画像供給方法。
【発明の詳細な説明】
【技術分野】
【０００１】
本発明は、画像表示装置、画像供給装置、画像表示システム、画像表示方法、及び画像
供給方法に関する。
【背景技術】
【０００２】
従来、ＰＤＰ（Plasma Display Panel）等の表示部と、当該表示部の表面に設けられた
タッチパネルと、スタイラスペンと、ＰＣ（Personal Computer）とを備え、表示部の表
面にスタイラスペンが触れた際の接触位置及び圧力を検出し、検出結果に応じた描画処理
を実施する電子黒板システムが知られている（例えば、特許文献１参照）。
【０００３】
この特許文献１に記載の電子黒板システムでは、タッチパネルにおいてスタイラスペン
の接触位置に応じた座標を取得し、当該スタイラスペンの接触位置の軌跡に応じた文字や
図形（すなわち、オブジェクト）を表示部に表示させる。この際、電子黒板は、スタイラ
スペンの接触位置の移動速度等に応じて、筆跡音（アタック音や摩擦音）を、検出された
圧力に応じた音量にて出力する。
【先行技術文献】
【特許文献】
【０００４】
【特許文献１】特開２００５−８０１２１号公報
【発明の概要】
【発明が解決しようとする課題】
【０００５】
上記特許文献１に記載の電子黒板システムを用いることにより、例えばプレゼンテーシ
ョン等の場において資料を表示しつつ説明する際に、当該資料における所定の箇所を円や
四角等の図形で囲む等して当該箇所を強調できる。しかしながら、当該電子黒板システム
では、強調される箇所が複数ある場合や、複数の色が配色された写真の一部を強調した場
合には、他の強調箇所や色に紛れて所望の強調箇所の効果が薄れてしまうという問題があ
る。
【０００６】
本発明は、上記課題の少なくとも一部を解決することを目的としたものであり、表示さ
れるオブジェクトに注意を向けやすくすることができる画像表示装置、画像供給装置、画
像表示システム、画像表示方法、及び画像供給方法を提供することを目的の１つとする。
【課題を解決するための手段】
【０００７】
本発明の第１態様に係る表示装置は、画像を表示する表示部と、指示体による指示位置
の座標を取得する座標取得部と、前記指示体による指示操作に応じたオブジェクトを描画
する描画部と、描画された前記オブジェクトに応じた音声を出力する音声出力部と、を備
え、前記表示部は、前記オブジェクトを含む画像を表示することを特徴とする。
【０００８】
なお、指示体の指示操作に応じたオブジェクトの描画とは、例えば、描画されるオブジ
ェクトの種別が予め決定されている場合には、上記指示体による指示位置に応じたサイズ
のオブジェクトの描画が挙げられる他、フリーハンドにてオブジェクトが描画される場合
には、指示体による指示が継続して実施されている状態にて指示位置を結ぶ線により形成
されるオブジェクトの描画が挙げられる。
また、音声を出力するとは、スピーカー等を含む音声出力装置に上記音声に対応する音
声情報を出力することや、上記音声出力装置によって音声を出力して、当該音声を可聴と
することを含む。
上記第１態様によれば、指示体の指示操作に応じたオブジェクトを表示できるとともに
、当該オブジェクトに応じた音声を出力できる。これによれば、例えば、オブジェクトと
して円形状（楕円形を含む）や多角形状の図形が描画された場合に、当該オブジェクトを
想起させる音声（例えばチャイム音）を、オブジェクトに応じた音声として出力できる。
すなわち、表示されるオブジェクト毎に、異なる音声を出力できる。従って、表示される
オブジェクトに視聴者の注意を向けやすくすることができる。
【０００９】
上記第１態様では、前記音声出力部は、前記指示操作が完了される直前の所定時間の間
に前記指示位置が変更されない場合には前記音声を出力し、前記所定時間の間に前記指示
位置が変更されていた場合には前記音声を出力しないことが好ましい。
なお、指示位置の変更には、指示位置が異なる位置に移動する場合や、指示体による指
示が行われなくなった場合が含まれる。
上記第１態様によれば、音声出力部は、指示体の指示操作が完了する直前の所定時間の
間（すなわち、指示操作完了のタイミングを終点とする所定期間）に指示位置が変更され
なければ、上記音声を出力する。一方、当該所定時間の間に指示位置が変更されると、音
声出力部は、上記音声を出力しない。換言すると、指示体の指示位置が変更されずに所定
時間以上の時間が経過し、そのまま指示操作が完了した場合に、上記音声を出力する。こ
れによれば、指示操作が完了する直前の所定時間の間に指示位置を変更するかしないかに
よって、音声を出力する場合と、出力しない場合とを切り替えることができる。従って、
音声の出力及び非出力の設定操作を予め実施しなくても、これらを容易に切り替えること
ができるので、画像表示装置の利便性を向上できる。
【００１０】
上記第１態様では、前記表示部によって表示された前記オブジェクトの座標、及び、前
記指示位置の座標に基づいて、前記オブジェクトが選択されたか否かを判定する選択判定
部を備え、前記音声出力部は、前記選択判定部によって前記オブジェクトが選択されたと
判定されると、前記音声を出力することが好ましい。
なお、オブジェクトの選択とは、例えば、既に表示されているオブジェクトを指示体に
よって指示する操作が挙げられる。
上記第１態様によれば、選択判定部によって、オブジェクトが選択されたと判定される
と、音声出力部は、上記音声を出力する。これによれば、既に表示されたオブジェクトに
視聴者の注意を向けさせる際に、使用者は当該オブジェクトを選択することによって上記
音声を出力させることができる。従って、既に表示されているオブジェクトに応じた音声
を出力させることができ、当該オブジェクトに注意を向けさせることができる。
【００１１】
上記第１態様では、前記描画部は、前記指示操作に応じたオブジェクトを描画した際に
、前記オブジェクトに応じた強調表示を行う強調表示画像を描画し、前記表示部は、前記
強調表示画像を含む画像を表示することが好ましい。
上記第１態様によれば、使用者による指示操作に応じたオブジェクトの表示とともに、
当該オブジェクトに応じた強調表示が行われる。これによれば、視聴者の注意を当該オブ
ジェクトにより確実に向けさせることができる。
【００１２】
上記第１態様では、前記オブジェクトに応じて出力される音声を設定する設定画面を生
成して、前記表示部に表示させる設定画面生成部と、前記設定画面にて設定された音声と
オブジェクトとを関連付ける音声設定部と、を備え、前記音声出力部は、前記音声設定部
により関連付けられた音声を、前記オブジェクトに応じて出力することが好ましい。
上記第１態様では、設定画面にてオブジェクトに関連付けて設定された音声が、当該オ
ブジェクトの表示とともに出力される。これによれば、オブジェクトに応じた上記音声を
容易に設定できる。
【００１３】
本発明の第２態様に係る画像供給装置は、画像を表示する画像表示装置に前記画像を供
給する画像供給装置であって、指示体による指示位置の座標を取得する座標取得部と、前
記指示体による指示操作に応じたオブジェクトを描画する描画部と、前記オブジェクトを
含む画像を生成し、生成された前記画像を前記画像表示装置に供給する画像生成部と、描
画された前記オブジェクトに応じた音声を出力する音声出力部と、を備えることを特徴と
する。
上記第２態様によれば、上記第１態様に係る画像表示装置と同様の効果を奏することが
できる。すなわち、指示体による指示操作に応じたオブジェクトを含む画像の供給、ひい
ては、画像表示装置による当該オブジェクトの表示とともに、当該オブジェクトに関連し
た音声を出力できる。従って、表示されるオブジェクトに視聴者の注意を向けやすくする
ことができる。
【００１４】
上記第２態様では、前記音声出力部は、前記指示操作が完了される直前の所定時間の間
に前記指示位置が変更されない場合には前記音声を出力し、前記所定時間の間に前記指示
位置が変更されていた場合には前記音声を出力しないことが好ましい。
上記第２態様によれば、音声出力部は、指示体の指示操作が完了する直前の所定時間の
間に指示位置が変更されなければ、上記音声を出力する。一方、当該所定時間の間に指示
位置が変更されると、音声出力部は、上記音声を出力しない。これによれば、指示操作が
完了する直前の所定期間に指示位置を変更するかしないかによって、音声を出力する場合
と、出力しない場合とを切り替えることができる。従って、音声の出力及び非出力の設定
操作を予め実施しなくても、これらを容易に切り替えることができるので、画像供給装置
の利便性を向上できる。
【００１５】
上記第２態様では、前記画像表示装置によって表示された前記オブジェクトの座標、及
び、前記指示位置の座標に基づいて、前記オブジェクトが選択されたか否かを判定する選
択判定部を備え、前記音声出力部は、前記選択判定部によって前記オブジェクトが選択さ
れたと判定されると、前記音声を出力することが好ましい。
上記第２態様によれば、選択判定部によって、オブジェクトが選択されたと判定される
と、音声出力部は、上記音声を出力する。これによれば、既に表示されたオブジェクトに
視聴者の注意を向けさせる際に、使用者は当該オブジェクトを選択することによって上記
音声を出力させることができる。従って、既に表示されているオブジェクトに応じた音声
を出力させることができ、当該オブジェクトに注意を向けさせることができる。
【００１６】
上記第２態様では、前記描画部は、前記指示操作に応じたオブジェクトを描画した際に
、前記オブジェクトに応じた強調表示を行う強調表示画像を描画し、前記画像生成部は、
前記強調表示画像を含む画像を生成することが好ましい。
上記第２態様によれば、使用者による指示操作に応じたオブジェクトを含む画像を生成
する際に、当該オブジェクトに応じた強調表示画像を含む画像を生成する。これによれば
、オブジェクトに応じた強調表示画像を含む画像を、画像表示装置に表示させ、強調表示
を実施することができ、視聴者の注意を当該オブジェクトにより確実に向けさせることが
できる。
【００１７】
上記第２態様では、前記オブジェクトに応じて出力される音声を設定する設定画面を生
成して、前記画像表示装置に表示させる設定画面生成部と、前記設定画面にて設定された
音声とオブジェクトとを関連付ける音声設定部と、を備え、前記音声出力部は、前記音声
設定部により関連付けられた音声を、前記オブジェクトに応じて出力することが好ましい
。
上記第２態様によれば、設定画面にてオブジェクトに関連付けて設定された音声が、当
該オブジェクトの表示とともに出力される。これによれば、オブジェクトに応じた上記音
声を容易に設定できる。
【００１８】
本発明の第３態様に係る画像表示システムは、画像供給装置と、前記画像供給装置から
供給される画像を表示する画像表示装置と、前記画像表示装置によって表示された前記画
像における所定の部位を指示する指示体と、を備え、前記画像供給装置及び前記画像表示
装置のいずれかは、前記画像における前記指示体による指示位置の座標を取得する座標取
得部と、前記指示体による指示操作に応じたオブジェクトを描画する描画部と、描画され
た前記オブジェクトに応じた音声を出力する音声出力部と、を備え、前記画像表示装置は
、前記オブジェクトを含む前記画像を表示することを特徴とする。
上記第３態様によれば、上記第１態様に係る画像表示装置や、上記第２態様に係る画像
供給装置と同様の効果を奏することができる。すなわち、指示体による指示操作に応じた
オブジェクトを含む画像を生成し、画像表示装置に表示させる際に、当該オブジェクトに
関連した音声を出力できる。従って、表示されるオブジェクトに視聴者の注意を向けやす
くすることができる。
【００１９】
本発明の第４態様に係る画像表示方法は、画像表示装置を用いて行われ、画像を表示す
る画像表示方法であって、指示体による指示位置の座標を取得し、前記指示体による指示
操作に応じたオブジェクトを描画し、前記オブジェクトを含む前記画像を表示し、描画さ
れた前記オブジェクトに応じた音声を出力することを特徴とする。
上記第４態様によれば、画像表示装置を用いて当該画像表示方法を実行することにより
、上記第１態様に係る画像表示装置と同様の効果を奏することができる。
【００２０】
本発明の第５態様に係る画像供給方法は、画像表示装置にて表示される画像を供給する
画像供給装置を用いて行われ、前記画像を供給する画像供給方法であって、指示体による
指示位置の座標を取得し、前記指示体による指示操作に応じたオブジェクトを描画し、前
記オブジェクトを含む画像を生成して、生成された前記画像を前記画像表示装置に供給し
、描画された前記オブジェクトに応じた音声を出力することを特徴とする。
上記第５態様によれば、画像供給装置を用いて当該画像供給方法を実行することにより
、上記第２態様に係る画像供給装置と同様の効果を奏することができる。
【図面の簡単な説明】
【００２１】
【図１】本発明の第１実施形態に係る画像表示システムの概略構成を示す図。
【図２】上記実施形態に係る画像表示システムの構成を示すブロック図。
【図３】上記実施形態に係る画像表示システムのＰＣの構成を示すブロック図。
【図４】上記実施形態に係る表示画像の一例を示す図。
【図５】上記実施形態に係るオブジェクトの描画手順の一例を示す図。
【図６】上記実施形態に係るオブジェクトの描画手順の一例を示す図。
【図７】上記実施形態に係るエフェクト設定画面の一例を示す図。
【図８】上記実施形態に係るエフェクト処理の一例を示すフローチャート。
【図９】上記実施形態に係る選択出力処理の一例を示すフローチャート。
【図１０】本発明の第２実施形態に係る画像表示システムの概略構成を示すブロック図。
【発明を実施するための形態】
【００２２】
［第１実施形態］
以下、本発明に係る第１実施形態を図面に基づいて説明する。
［表示システム］
図１は、本実施形態に係る画像表示システム１の概略構成を示す図である。
本実施形態に係る画像表示システム１は、画像をスクリーン２の被投射面２Ａ上に表示
する画像表示装置としてのプロジェクター３と、指示体としての電子ペン４と、画像供給
装置としてのＰＣ（Personal Computer）５とを有する。この画像表示システム１では、
プロジェクター３は、ＰＣ５から供給される画像を被投射面２Ａに投射するとともに、当
該被投射面２Ａを撮像した撮像画像をＰＣ５に送信する。ＰＣ５では、当該撮像画像から
電子ペン４による指示位置を検出し、当該指示位置の軌跡に応じた文字や、電子ペン４に
よる指示操作に応じたオブジェクトを含む画像をプロジェクター３に供給する。すなわち
、本実施形態に係る画像表示システム１は、インタラクティブホワイトボードシステムが
構成する。そして、当該画像表示システム１では、所定の条件が満たされた場合に、オブ
ジェクトの表示とともに、当該オブジェクトに応じた音声を出力することを特徴の１つと
している。
以下、画像表示システム１の各構成について説明する。
【００２３】
［電子ペンの構成］
図２は、画像表示システム１を構成するプロジェクター３、電子ペン４及びＰＣ５の構
成を示すブロック図である。
ここで、先に電子ペン４の構成について説明する。
電子ペン４は、使用者の手で握られる筐体を有し、使用者の入力操作に応じた信号及び
赤外光を出射するポインティングデバイスである。この電子ペン４は、図２に示すように
、制御部４１、赤外光を出射するＬＥＤ（Light Emitting Diode）を含む発光部４２、第
１スイッチ４３及び第２スイッチ４４を備える。
【００２４】
これらのうち、制御部４１は、第２スイッチ４４が押下されると、当該入力操作に応じ
た上記発光部４２による赤外線信号、又は、無線信号を送信する。
第１スイッチ４３は、電子ペン４の先端４Ａ（図１参照）が被投射面２Ａに接触した状
態にてオン状態となり、上記発光部４２に赤外光を出射させる。すなわち、使用者が電子
ペン４の先端４Ａを被投射面２Ａに押圧して、当該被投射面２Ａ上に投射された画像にお
ける所定の位置を指示している間は、上記発光部４２から赤外光を出射される。
【００２５】
［プロジェクターの構成］
プロジェクター３は、例えば図１に示したように、スクリーン２（被投射面２Ａ）が設
けられる壁面に取り付けられたアームＡＲに、外装筐体３０における、画像光が出射され
る出射部（図示省略）を備える側面部（天面部）３０Ａが下方を向く状態で固定されて使
用される。このようなプロジェクター３は、図２に示すように、外装筐体３０（図１参照
）内にそれぞれ配置される通信部３１、画像投射部３２、撮像部３３、スピーカー３４、
記憶部３５及び制御部３６を備える。これらのうち、通信部３１は、制御部３６による制
御の下、ＰＣ５等の外部機器と通信する。例えば、通信部３１は、ＰＣ５から受信される
画像情報（画像信号及びパケット等を含む）や音声情報を制御部３６に出力する他、後述
する撮像部３３から入力される撮像画像（後述する検出用画像）を、当該ＰＣ５に送信す
る。
【００２６】
画像投射部３２は、本発明の表示部に相当し、通信部３１を介してＰＣ５から受信され
た画像情報に応じた画像光を形成し、当該画像光を被投射面２Ａ上に拡大投射して、当該
画像光に応じた画像を表示する。この画像投射部３２は、光源装置３２１と、当該光源装
置３２１から出射された光を変調して上記画像情報に応じた画像光を形成する光変調装置
３２２と、形成された画像光を拡大投射する投射レンズ３２３と、を備える。
なお、光変調装置３２２としては、液晶パネルやＤＭＤ（Digital Micromirror Device
）等を採用できる。
【００２７】
撮像部３３は、被投射面２Ａ上に投射された画像が含まれる所定範囲を撮像する撮像素
子（例えば、ＣＣＤ（Charge Coupled Device）やＣＭＯＳ（Complementary Metal Oxide
Semiconductor）デバイス）を備えて構成される。具体的に、撮像部３３は、電子ペン４
から出射された赤外光Ｍを検出可能な撮像素子を有する。そして、撮像部３３は、被投射
面２Ａ上に投射された画像における当該赤外光Ｍの位置を検出するための検出用画像を取
得する。このような撮像部３３により撮像された検出用画像は、通信部３１を介してＰＣ
５に送信され、当該ＰＣ５の座標取得部５３１（図３参照）によって、投射された画像に
おける赤外光Ｍの位置（座標）が取得される。
【００２８】
スピーカー３４は、ＰＣ５から受信される音声情報に応じた音声を出力する。
記憶部３５は、プロジェクター３を制御するために必要な各種プログラム及びデータを
記憶する。この他、記憶部３５は、制御部３６による描画処理に利用されるフレームメモ
リー（図示省略）を有する。
【００２９】
制御部３６は、ＣＰＵ（Central Processing Unit）及び映像処理プロセッサー等の処
理回路を備え、記憶部３５に記憶されたプログラムを実行して、プロジェクター３の動作
を制御する。この制御部３６は、画像処理部３６１、駆動制御部３６２及び音声出力制御
部３６３を有する。
画像処理部３６１は、通信部３１によって受信される画像情報に応じた画像を記憶部３
５のフレームメモリー上に展開する。
駆動制御部３６２は、フレームメモリーに書き込まれた画像の画像データに応じた駆動
信号を上記光変調装置３２２に出力して、光変調装置３２２に当該画像を形成させる。こ
の他、駆動制御部３６２は、光源装置３２１の点消灯及び発光光量を制御する制御信号を
出力する。
音声出力制御部３６３は、受信された音声情報に応じた音声信号をスピーカー３４に出
力して、当該音声信号に応じた音声を出力させる。
【００３０】
［ＰＣの構成］
図３は、ＰＣ５の構成を示すブロック図である。
ＰＣ５は、プロジェクター３に投射させる画像の画像情報を生成及び送信する他、プロ
ジェクター３に出力させる音声情報を送信する。このＰＣ５は、図３に示すように、操作
部５１、記憶部５２及び制御部５３を備える。
操作部５１は、キーボードや、マウス等のポインティングデバイスを備え、当該操作部
５１は、これらに対する入力操作に応じた操作信号を、制御部５３に出力する。
【００３１】
記憶部５２は、制御部５３による処理に必要な各種プログラム及びデータを記憶する。
このようなプログラムとして、詳しくは後述するが、例えば、制御部５３にて実行され、
電子ペン４から出射された赤外光の投射画像における軌跡（すなわち、投射画像における
指示位置の軌跡）に基づく指示操作に応じたオブジェクトを描画する描画プログラムや、
描画されたオブジェクトに応じた音声エフェクトを出力するエフェクト出力プログラム等
が挙げられる。
【００３２】
制御部５３は、例えば、ＣＰＵ等の処理回路を備えて構成され、記憶部５２に記憶され
たＯＳ（Operating System）等のプログラムを実行することにより、ＰＣ５の動作を制御
する。例えば、制御部５３は、上記描画プログラムに基づく描画処理を実行する他、上記
エフェクト出力プログラムに基づく出力処理を実行する。このような制御部５３は、上記
ＣＰＵがこれらプログラムを実行することにより実現される機能部として、座標取得部５
３１、描画部５３２、画像生成部５３３、オブジェクト特定部５３４、音声出力部５３５
、選択判定部５３６、設定画面生成部５３７及びエフェクト設定部５３８を有する。
【００３３】
座標取得部５３１は、上記プロジェクター３から受信された撮像画像における赤外光Ｍ
の位置を検出して、上記被投射面２Ａ上に投射された投射画像における電子ペン４による
指示位置の座標を取得する。例えば、座標取得部５３１は、撮像画像における投射画像の
位置（座標）を予め取得しておき、当該撮像画像における赤外光Ｍの位置を投射画像の位
置に当てはめることによって、当該投射画像における赤外光Ｍの位置、すなわち、電子ペ
ン４による指示位置の座標を取得する。
【００３４】
描画部５３２は、被投射面２Ａ上における上記指示位置の軌跡に応じたオブジェクトを
描画する。すなわち、描画部５３２は、当該指示位置の軌跡により示される指示操作に応
じたオブジェクトを描画する。
このようなオブジェクトは、使用者によって予め選択された所定の図形の他、フリーハ
ンドで描かれる文字や図形（点及び線を含む）が挙げられる。そして、これら図形の指示
操作としては、予め選択された図形をオブジェクトとして描画する場合には、当該図形の
大きさを決定する起点と終点とを連続して指示する指示操作が挙げられ、フリーハンドで
描かれる図形をオブジェクトとして描画する場合には、当該図形の外形を上記指示位置の
連続した軌跡によって指示する指示操作が挙げられる。そして、これらの指示操作の完了
は、指示位置を示す赤外光の消失、すなわち、電子ペン４の先端４Ａが被投射面２Ａから
離れることによって行われる。
【００３５】
また、描画部５３２は、描画されるオブジェクトが、特定のオブジェクトである場合に
は、当該オブジェクトを強調して視聴者の注意を向けさせるために、所定のエフェクト画
像を描画する。このエフェクト画像は、オブジェクト特定部５３４によって特定されるオ
ブジェクト種別に応じて選択され、オブジェクトの周囲、或いは、オブジェクト上に配置
される。
【００３６】
画像生成部５３３は、プロジェクター３に表示させる画像を生成し、当該画像をプロジ
ェクター３に送信する。例えば、画像生成部５３３は、プレゼンテーション等に用いられ
る資料の画像（以下、元画像という）を生成する。
このような元画像を生成及び送信する際に、描画部５３２によってオブジェクトが描画
されている場合には、画像生成部５３３は、生成した元画像に当該オブジェクトを上記指
示位置に応じた位置に重ね合わせた画像を生成する。更に、上記描画部５３２によって、
オブジェクトを強調するためのエフェクト画像が描画されている場合には、画像生成部５
３３は、当該エフェクト画像を更に重ね合わせた画像を生成する。そして、画像生成部５
３３は、生成された画像をプロジェクター３に送信（供給）する。
【００３７】
図４は、ＰＣ５にて生成される画像の一例を示す図である。
上記画像生成部５３３は、例えば、図４に示す画像Ｐを生成する。この画像Ｐには、プ
レゼンテーションに用いられる表やグラフ等の元画像Ｐ１が含まれる他、描画部５３２に
よって描画されたオブジェクトＰ２及びエフェクト画像Ｐ３が含まれる。更に、当該画像
Ｐには、電子ペン４を用いて表示画面上で操作を行うための操作メニューＰ４が含まれる
。
【００３８】
これらのうち、オブジェクトＰ２は、上記画像Ｐにおいては楕円形状のオブジェクトで
あり、オブジェクト種別としては「丸」に分類される。また、オブジェクトが、例えば、
矩形状の場合では、オブジェクト種別としては「四角」に分類される。更に、当該オブジ
ェクトが、直線が交差する形状（斜め十字）である場合には、オブジェクト種別としては
「バツ」に分類される。このようなオブジェクト種別の特定は、例えばオブジェクトの輪
郭に基づいて実施される。また、予め描画するオブジェクトの種別が設定されている場合
は設定情報に基づいて、オブジェクト種別が特定される。
【００３９】
また、エフェクト画像Ｐ３は、オブジェクトＰ２を強調するために表示される画像（強
調表示画像）であり、画像Ｐの例では、オブジェクトＰ２の周りに配置される複数の星が
、所定の表示期間において、断続的に表示される画像（星型の画像が所定の表示時間の間
、明滅する画像）である。なお、エフェクト画像Ｐ３は、他の画像でもよい。例えば、エ
フェクト画像Ｐ３に含まれる図形は、丸や多角形等の図形でもよく、当該図形が明滅せず
に連続的に表示されてもよい。また、図形の表示時間や表示数等は、使用者が設定可能と
してもよい。更に、エフェクト画像Ｐ３が、所定の表示期間で表示される構成を例示した
が、エフェクト画像Ｐ３の消去を指示する入力操作を受け付けるまで表示される構成とし
てもよい。
【００４０】
また、操作メニューＰ４は、オブジェクトの描画や、オブジェクトの選択等の各種操作
を実行するための設定を実施する際に用いる複数の項目を含む。
具体的に、最上段には、電子ペン４の軌跡に応じたオブジェクトを描画する操作を主に
実行する描画モードに設定するための描画モード設定部Ｐ４１と、選択操作等の描画以外
の操作を主に実行する操作モードに設定するための操作モード設定部Ｐ４２とが表示され
ている。また、描画モード設定時において、オブジェクトとして、円又は楕円を描画する
円描画設定部Ｐ４３と、四角を描画する四角描画設定部Ｐ４４と、斜め十字（バツ）を描
画する十字描画設定部Ｐ４５とを有する。例えば、楕円状のオブジェクトＰ２を描画する
場合、予め、描画モード設定部Ｐ４１を選択して描画モードに設定し、かつ、円描画設定
部Ｐ４３を選択して円描画モードに設定することにより、円又は楕円のオブジェクトを容
易に描画できる。
【００４１】
図５及び図６は、図４に示す楕円形のオブジェクトＰ２の描画手順の一例を示す図であ
る。図４に示すオブジェクトＰ２は、例えば、図５及び図６に示す手順で実施される電子
ペン４による指示操作に基づいて、描画部５３２によって描画される。なお、図５及び図
６では、描画対象のオブジェクト種別を設定した後、オブジェクトの大きさを決定するこ
とにより、描画部５３２にオブジェクトを描画させる例を示している。
図５に示すように、電子ペン４の操作によって円描画設定部Ｐ４３が選択されると、描
画部５３２は、電子ペン４の操作に応じて円又は楕円を描画する円描画モードに設定され
る。
次に、図６に示すように、描画部５３２は、電子ペン４の操作に応じて、オブジェクト
Ｐ２が描画される矩形状の描画領域Ｐ２Ａを設定し、当該描画領域Ｐ２Ａに内接する円又
は楕円をオブジェクトＰ２として描画する。描画部５３２は、電子ペン４による描画開始
位置Ｍ１の座標と、描画終了位置Ｍ２の座標とを取得する。そして、描画開始位置Ｍ１及
び描画終了位置Ｍ２を対頂点とする矩形を描画領域Ｐ２Ａとして、オブジェクトＰ２を描
画する。なお、描画部５３２は、例えば、円描画モードに設定されてから、最初に赤外光
が検出された位置を描画開始位置Ｍ１とする。また、描画部５３２は、描画開始位置Ｍ１
から矢印Ｎで示すように移動された赤外光が、検出されなくなった時の位置を描画終了位
置Ｍ２とする。また、電子ペン４の先端４Ａが被投射面２Ａから離れ、描画終了位置Ｍ２
における赤外光が消失したタイミングを描画終了タイミングとする。
なお、描画モードが設定されてから、最初に赤外光が検出された位置を描画開始位置Ｍ
１とし、その後、一旦消失した赤外光が次に検出された位置を描画終了位置Ｍ２としても
よい。
【００４２】
オブジェクト特定部５３４は、描画部５３２によって描画されたオブジェクトのオブジ
ェクト種別を特定する。このオブジェクト種別は、上記のように、オブジェクトの特徴に
応じて予め設定されている。なお、描画部５３２によって描画されるオブジェクトが、使
用者によって選択された図形のオブジェクトである場合には、オブジェクト特定部５３４
は、当該選択された図形の種別に基づいて、オブジェクト種別を特定する。
【００４３】
音声出力部５３５は、所定の条件が満たされた場合に、描画部５３２によって描画され
たオブジェクトの種別に応じた音声情報を選択し、当該音声情報をプロジェクター３に送
信する。
具体的に、描画されるオブジェクトの形状及び大きさを決定する上記指示操作が完了し
た後、当該指示操作の完了直前の所定時間（例えば、１秒間）の間に指示位置の座標が変
更されなかった場合に、音声出力部５３５は、当該オブジェクトの種別に応じた音声情報
を選択し、当該音声情報をプロジェクター３に送信（出力）する。
一方、上記指示操作が完了した後、当該指示操作の完了直前の所定時間の間に指示位置
の座標が変更されていた場合には、音声出力部５３５は、音声情報の送信（出力）を実行
しない。
なお、指示位置の座標（赤外光Ｍの座標）が変更されるとは、電子ペン４の先端４Ａの
接触位置の座標が所定範囲外に変更される以外に、先端４Ａが被投射面２Ａから離間する
ことにより、上記発光部４２が消灯されて赤外光Ｍが消え、指示位置が存在しなくなる場
合も含む。
【００４４】
このような描画されるオブジェクトの種別に応じた音声は、記憶部５２に予め複数記憶
されており、後述するエフェクト設定部５３８によって、オブジェクト種別と、音声とが
関連付けて設定される。そして、音声出力部５３５は、描画されるオブジェクトの種別に
応じた音声情報を記憶部５２から取得して、プロジェクター３に送信する。
【００４５】
選択判定部５３６は、既に表示されているオブジェクト（例えば、上記画像Ｐが表示さ
れている場合のオブジェクトＰ２）が電子ペン４の操作によって選択されたか否かを判定
する。
このような選択判定部５３６によるオブジェクトの選択判定は、例えば、表示されてい
る画像におけるオブジェクトの位置に、電子ペン４による指示位置（赤外光Ｍの位置）が
出現したか否かを判定することにより行われ、当該指示位置が出現した場合に、オブジェ
クトが選択されたと判定される。一方、オブジェクトが選択された状態から、指示位置が
消失した場合（赤外光Ｍが消失した場合）には、オブジェクトの選択は解除されたと判定
される。
【００４６】
また、上記選択判定の他の例として、選択判定部５３６が、上記オブジェクトの位置に
指示位置が所定時間検出されたか否か（電子ペン４の先端４Ａにより所定時間に亘ってオ
ブジェクトが指示されたか否か、換言すると、当該先端４Ａによりオブジェクトが長押し
されたか否か）を判定し、当該指示位置が所定時間検出されると、オブジェクトが選択さ
れたと判定してもよい。
更に、長押し操作以外にも、電子ペン４の先端４Ａが接触された後に離間され、すぐさ
ま再接触される操作（ダブルタップ操作）によって、赤外光Ｍが略同一位置で明滅したと
判定された場合に、オブジェクトが選択されたと選択判定部５３６が判定してもよい。
【００４７】
そして、選択判定部５３６によって、オブジェクトが選択されたと判定されると、上記
オブジェクト特定部５３４によって当該オブジェクトの種別が特定され、上記描画部５３
２によって、当該オブジェクトの種別に応じた上記エフェクト画像が描画される。これに
より、画像生成部５３３によってエフェクト画像が重畳された画像の画像情報が、プロジ
ェクター３に送信される。また、オブジェクトが選択されたと判定されると、上記音声出
力部５３５によって、同じく特定されたオブジェクトの種別に応じた音声情報が記憶部５
２から取得され、当該音声情報がプロジェクター３に送信される。これにより、当該画像
がプロジェクター３により表示されるとともに、当該音声情報に応じた音声が、プロジェ
クター３から出力される。
【００４８】
図７は、エフェクト設定用のメニューを含む設定画面ＳＰの一例を示す図である。
設定画面生成部５３７は、描画部５３２によって描画されるオブジェクトに関連付けて
出力される音声、及び、当該オブジェクトに関連付けて表示されるエフェクト画像を設定
する設定画面を生成し、当該設定画面の画像情報をプロジェクター３に送信する。
例えば、設定画面生成部５３７は、図５に一例を示す設定画面ＳＰを生成する。この設
定画面ＳＰには、上記オブジェクト特定部５３４により特定可能なオブジェクトの種別に
対して関連付け可能な複数の音声のそれぞれに対応する選択項目が、当該種別ごとに配置
された第１テーブルＳＰ１が含まれる。このテーブルには、オブジェクトに応じた音声を
出力するか否かを設定する選択項目も含まれており、「ＯＮ」と表記された項目が選択さ
れた場合には、当該オブジェクトが描画されて表示される際に、対応する音声が出力され
、「ＯＦＦ」と表記された項目が選択された場合には、当該音声は出力されない。
同様に、設定画面ＳＰには、特定可能なオブジェクトの種別に対して関連付け可能な複
数のエフェクト画像のそれぞれに対応する選択項目が、当該種別ごとに配置された第２テ
ーブルＳＰ２が含まれる。この第２テーブルＳＰ２には、上記と同様に、オブジェクトに
応じたエフェクト画像を出力（表示）するか否かを設定する選択項目も含まれている。
【００４９】
エフェクト設定部５３８は、本発明の音声設定部に相当し、上記設定画面に対する電子
ペン４やＰＣ５の入力装置による入力操作に応じて、描画されるオブジェクトに関連付け
る音声及びエフェクト画像の設定を行う。
具体的に、エフェクト設定部５３８は、上記設定画面（例えば設定画面ＳＰ）が表示さ
れた際に、当該設定画面に対する入力操作に応じて、オブジェクトの種別に関連付ける音
声及びエフェクト画像、並びに、当該音声出力及びエフェクト画像表示のＯＮ／ＯＦＦを
設定する。
なお、描画されるオブジェクトの種別と関連性が高い音声が、予め関連付けられて記憶
部５２に記憶されている。例えば、種別が「丸」のオブジェクトに対してはチャイム音が
、種別が「バツ」のオブジェクトに対してはエラーを想起させるビープ音が、種別が「四
角」のオブジェクトに対しては金属音が、それぞれ関連付けられている。
【００５０】
［表示システムによるエフェクト処理］
図８は、画像表示システム１における、オブジェクトに応じた音声及びエフェクト画像
を出力するエフェクト処理の一例を示すフローチャートである。
以下、図８に示すフローチャートを参照し、エフェクト処理について説明する。
画像表示システム１では、電子ペン４による操作に応じたオブジェクトＰ２をプロジェ
クター３に表示させる。その際、画像表示システム１は、オブジェクトＰ２の描画が終了
される直前の所定時間において、操作位置が変更されない場合に、オブジェクトＰ２に応
じた音声を出力し、変更された場合に音声を出力しない。
【００５１】
具体的に、図８に示すエフェクト処理では、元画像Ｐ１が表示されている被投射面２Ａ
に対して実施される電子ペン４による操作に基づいて、描画部５３２は、オブジェクトＰ
２（図６参照）を描画する（ステップＳ１）。
上述のように、描画部５３２は、電子ペン４による指示操作に応じたオブジェクトＰ２
を描画し、電子ペン４の先端４Ａが被投射面２Ａから離間し、指示位置が消失した場合に
、指示操作が完了したと判定し、描画を終了する。なお、画像生成部５３３は、元画像Ｐ
１と描画されたオブジェクトＰ２とを含む画像Ｐを生成し、プロジェクター３に送信する
。プロジェクター３は、受信した画像Ｐを、被投射面２Ａに投射する。
【００５２】
次に、音声出力部５３５は、上記指示操作が完了し、オブジェクトＰ２の描画が終了す
る直前の所定時間の間に指示位置の座標が変更されたか否かを判定する（ステップＳ２）
。音声出力部５３５は、例えば、オブジェクトＰ２の描画時に、上記所定時間の間に指示
位置が変化しない場合に、位置変化がないことを示すフラグを設定する。
上記フラグが設定されていない場合、音声出力部５３５は、上記所定時間の経過前（指
示操作の完了直前の所定期間）に指示位置が変更されたと判定し（ステップＳ２；ＹＥＳ
）、音声を出力せずにエフェクト処理を終了する。
【００５３】
一方、上記フラグが設定されている場合、音声出力部５３５は、上記所定時間の間にお
いて指示位置が変更されていなかったと判定し（ステップＳ２；ＮＯ）、オブジェクトＰ
２の種別を特定する（ステップＳ３）。本実施形態では、オブジェクトＰ２の種別は、使
用者によって選択された「丸」である。
なお、フリーハンドでオブジェクトが描画されている場合等、予め、オブジェクト種別
が使用者によって選択されていない場合、描画されたオブジェクトの形状を検出すること
でオブジェクトの種別を特定してもよい。
【００５４】
次に、音声出力部５３５は、オブジェクトの種別に応じた音声情報を選択し、当該音声
情報をプロジェクター３に送信（出力）する。また、描画部５３２は、オブジェクトの種
別に応じたエフェクト画像Ｐ３を選択して出力する（ステップＳ４）。
プロジェクター３は、受信した音声情報に基づいて、オブジェクトの種別に応じた音声
をスピーカー３４から出力する。
それとともに、画像生成部５３３は、元画像Ｐ１、オブジェクトＰ２及びエフェクト画
像Ｐ３を含む画像Ｐを生成し、プロジェクター３に送信する。プロジェクター３は、受信
した画像Ｐを被投射面２Ａに投射する。
【００５５】
次に、描画部５３２は、予め設定された、エフェクト画像Ｐ３の表示期間が終了したか
否かを判定する（ステップＳ５）。
描画部５３２は、表示期間が終了するまで同判定を繰り返し（ステップＳ５；ＮＯ）、
表示期間が終了したら（ステップＳ５；ＹＥＳ）、エフェクト画像Ｐ３を消去する（ステ
ップＳ６）。画像生成部５３３は、エフェクト画像Ｐ３が重畳されていない画像Ｐを生成
し、当該画像Ｐをプロジェクター３に送信する。
その後、制御部５３は、エフェクト処理を終了する。
【００５６】
［表示システムによる選択出力処理］
図９は、画像表示システム１における、描画済みのオブジェクトの選択操作に応じて音
声及びエフェクト画像を出力する選択出力処理の一例を示すフローチャートである。
以下、図９に示すフローチャートを参照し、選択出力処理について説明する。なお、図
８に示すエフェクト処理と同様の処理については、同一の符号を付し、その説明を省略す
る。
画像表示システム１では、既に表示されているオブジェクトＰ２が存在する場合、電子
ペン４による操作によって、当該オブジェクトＰ２が選択された場合に音声及びエフェク
ト画像を出力する。
【００５７】
図９に示すように、選択判定部５３６は、既に表示されているオブジェクトが電子ペン
４の操作によって選択されたか否かを判定する（ステップＳ１１）。すなわち、選択判定
部５３６は、座標取得部５３１によって取得された、電子ペン４による赤外光Ｍの座標位
置の検出結果に基づいて、選択操作が実施されたか否かを判定する。選択操作が実施され
たと判定されると、制御部５３は、図８に示すステップＳ３〜Ｓ６を順次実施して、オブ
ジェクトに応じた音声及びエフェクト画像を出力させる。
【００５８】
［実施形態の効果］
以上説明した本実施形態に係る画像表示システム１によれば、以下の効果がある。
本実施形態では、電子ペン４による指示操作に応じたオブジェクトを表示できるととも
に、当該オブジェクトに応じた音声を出力できる。これによれば、例えば、オブジェクト
として円形状（楕円形を含む）や多角形状の図形が描画された場合に、当該オブジェクト
を想起させる音声（例えば円形のオブジェクトＰ２ではチャイム音）を、オブジェクトに
応じた音声として出力できる。すなわち、表示されるオブジェクトごとに、異なる音声を
出力できる。従って、表示されるオブジェクトに視聴者の注意を向けやすくすることがで
きる。
【００５９】
また、本実施形態では、音声出力部５３５は、電子ペン４による指示操作が完了する直
前の所定時間の間に指示位置が変更されなければ、上記音声を出力する。一方、当該所定
時間の間に指示位置が変更されていると、音声出力５３５部は、上記音声を出力しない。
これによれば、指示操作が完了する直前の所定時間の間に指示位置を変更するかしないか
によって、音声を出力する場合と、出力しない場合とを切り替えることができる。従って
、音声の出力及び非出力の設定操作を予め実施しなくても、これらを容易に切り替えるこ
とができるので、画像表示システム１及び画像供給装置としてのＰＣ５の利便性を向上で
きる。
【００６０】
また、本実施形態では、選択判定部５３６によって、既に表示されているオブジェクト
Ｐ２が選択されたと判定されると、音声出力部５３５は、上記音声を出力する。これによ
れば、既に表示されたオブジェクトＰ２に視聴者の注意を向けさせる際に、使用者は当該
オブジェクトＰ２を選択することによって上記音声を出力させることができる。従って、
既に表示されているオブジェクトＰ２に応じた音声を出力させることができ、当該オブジ
ェクトＰ２に注意を向けさせることができる。
【００６１】
また、本実施形態では、描画部使用者による指示操作に応じたオブジェクトＰ２の表示
とともに、当該オブジェクトＰ２に応じたエフェクト画像Ｐ３を表示する強調表示が行わ
れる。これによれば、視聴者の注意を当該オブジェクトＰ２により確実に向けさせること
ができる。
【００６２】
また、本実施形態では、設定画面生成部５３７によって生成されたエフェクト設定用の
メニューを含む設定画面ＳＰにて、オブジェクトに関連付けて設定された音声が、音声出
力部５３５によってオブジェクトの表示とともに出力される。これによれば、オブジェク
トに応じた上記音声を容易に設定できる。
【００６３】
［第２実施形態］
以下、本発明に係る第２実施形態を図面に基づいて説明する。
第１実施形態に係る画像表示システム１は、画像表示装置としてのプロジェクター３と
、指示体としての電子ペン４と、画像供給装置としてのＰＣ５とを有し、ＰＣ５によって
生成された画像Ｐを、プロジェクター３によって被投射面２Ａに投射した。これに対して
、本実施形態では、表示システムは、画像供給装置としてのＰＣを備えず、プロジェクタ
ーが、オブジェクト及びエフェクト画像を含む画像を生成して、被投射面２Ａに投射する
点で第１実施形態と相違する。なお、以下の説明では、既に説明した構成と同一の構成に
ついては同一の符号を付して説明を簡略化又は省略する。
【００６４】
図１０は、本実施形態に係る画像表示システム１Ａの概略構成を示す図である。
図１０に示すように、本実施形態に係る画像表示システム１Ａは、本発明の画像表示装
置としてのプロジェクター３Ａと、指示体としての電子ペン４と、ＰＣ５を有する。
プロジェクター３Ａは、通信部３１、画像投射部３２、撮像部３３、スピーカー３４、
記憶部３５及び制御部３６Ａを備える。
制御部３６Ａは、第１実施形態と同様に、画像処理部３６１、駆動制御部３６２及び音
声出力制御部３６３を有する。また、制御部３６Ａは、第１実施形態のＰＣ５が備える制
御部５３と同様に、座標取得部５３１、描画部５３２、画像生成部５３３、オブジェクト
特定部５３４、音声出力部５３５、選択判定部５３６、設定画面生成部５３７及びエフェ
クト設定部５３８を有し、同様の機能を実現する。
【００６５】
このように構成された画像表示システム１Ａでは、プロジェクター３Ａは、画像を被投
射面２Ａに投射するとともに、被投射面２Ａを撮像した撮像画像から電子ペン４による指
示位置を検出し、当該指示位置の軌跡に応じた文字や、電子ペン４による指示操作に応じ
たオブジェクトＰ２（図６参照）を含む画像を表示する。
また、プロジェクター３Ａは、オブジェクトＰ２の描画に係る指示操作が完了する直前
の所定時間の間に指示位置の座標が変更されなかった場合に、オブジェクトＰ２の種別に
応じた音声を出力するとともに、オブジェクトＰ２及びエフェクト画像Ｐ３を含む画像Ｐ
（図４参照）を表示する。
【００６６】
なお、本実施形態では、ＰＣ５が、画像表示装置としてのプロジェクター３Ａに元画像
Ｐ１を出力する画像供給装置として機能し、プロジェクター３Ａが、上述のエフェクト処
理や選択出力処理を実施する。ＰＣ５は、上述のエフェクト処理や選択出力処理を実施す
る構成を備えなくてもよい。
また、プロジェクター３Ａは、元画像Ｐ１（図４参照）や、エフェクト画像Ｐ３に含ま
れる図形や、オブジェクトに応じて出力される音声等の各種データを、記憶装置及び各種
記憶媒体等のＰＣ５以外の外部機器から、通信部３１を介して供給可能に構成されてもよ
い。
【００６７】
［第２実施形態の効果］
以上説明した本実施形態に係る画像表示システム１Ａによれば、第１実施形態の画像表
示システム１と同様の効果を得ることができる他、以下の効果がある。
すなわち、画像表示システム１Ａでは、画像表示装置としてのプロジェクター３Ａは、
ＰＣ等の外部機器による制御を受けずにオブジェクトＰ２に応じた音声を出力したり、オ
ブジェクトＰ２やエフェクト画像Ｐ３を含む画像Ｐを生成し、表示したりすることができ
る。従って、画像表示システムの構成を簡略化することができる。
【００６８】
［実施形態の変形］
本発明は、上記各実施形態に限定されるものではなく、本発明の目的を達成できる範囲
での変形、改良等は本発明に含まれるものである。
上記各実施形態では、オブジェクトＰ２の描画が完了する直前の所定時間の間に、指示
位置が変更されない場合に音声を出力し、変更され場合は、音声の出力を禁止する構成を
例示した。しかしながら、本発明はこれに限らず、オブジェクトＰ２が描画されたら、指
示位置の変更の有無に関わらず音声を出力するようにしてもよい。また、エフェクト画像
Ｐ３の出力についても同様である。なお、出力された音声情報に応じた音声は、プロジェ
クター３が備えるスピーカー３４から出力される以外にも、ＰＣ５が備える音声出力部（
図示省略）や、その他の外部のスピーカーから再生されてもよい。
【００６９】
上記各実施形態では、オブジェクトＰ２に応じた音声として、予め、記憶部５２に記憶
されている音声が割り当てられている構成を例示した。しかしながら、本発明はこれに限
らない。例えば、ユーザーによって録音された音声を割り当て可能としてもよい。
【００７０】
上記各実施形態では、オブジェクトＰ２のオブジェクト種別として、丸、四角、バツを
選択可能な構成を例示したが、本発明はこれに限らず、例えば三角、星、波線等の他の図
形を選択可能としてもよい。
上記実施形態では、エフェクト画像Ｐ３をオブジェクトＰ２上や周囲に表示させること
で、オブジェクトＰ２を強調する構成を例示したが、例えば、オブジェクトＰ２を明滅さ
せることで当該オブジェクトＰ２を強調する構成としてもよい。また、オブジェクトＰ２
の表示に応じてエフェクト画像Ｐ３を表示しなくてもよい。
【００７１】
上記各実施形態では、撮像部３３によって撮像された画像に基づいて、指示体としての
電子ペン４から出射される赤外光Ｍの座標を取得することで、指示位置の座標を取得する
構成を例示したが、本発明はこれに限らず、指示体の位置を特定可能な方法であれば特に
制限されない。例えば、指示体を撮像した画像を用いて、指示体の先端等の位置を特定す
ることで指示位置を取得してもよい。
また、撮像部３３は、プロジェクター３に設けられていなくてもよく、プロジェクター
とは独立した撮像装置として構成してもよい。
【００７２】
上記各実施形態では、撮像部３３によって撮像された画像に基づいて、指示位置を検出
したが、本発明はこれに限らず、他の方式によって、指示位置を検出してもよい。例えば
、被投射面２Ａ上における指示体の先端の位置を検出するために、接触式、非接触式のタ
ッチパネルを備える構成を採用してもよい。なお、指等を指示体としてもよい。
【００７３】
上記各実施形態では、画像表示システムとして、スクリーン２を被投射面とする構成を
例示したが、本発明はこれに限らず、壁等を被投射面としてもよい。
上記各実施形態では、表示部としてプロジェクター３によって被投射面２Ａに画像を投
射し、表示する構成を例示したが、本発明はこれに限らない。例えば、液晶ディスプレイ
、プラズマディスプレイ等の各種ディスプレイに画像を表示させる構成を採用してもよい
。
【符号の説明】
【００７４】
１，１Ａ…画像表示システム、３，３Ａ…プロジェクター（画像表示装置）、４…電子
ペン（指示体）、５３１…座標取得部、５３２…描画部、５３３…画像生成部、５３５…
音声出力部、５３６…選択判定部、５３８…エフェクト設定部（音声設定部）、Ｐ…画像
、Ｐ２…オブジェクト、Ｐ３…エフェクト画像（強調表示画像）、ＳＰ…設定画面。
【図１】
2016091448.tif 000003
【図２】
2016091448.tif 000004
【図３】
2016091448.tif 000005
【図４】
2016091448.tif 000006
【図５】
2016091448.tif 000007
【図６】
2016091448.tif 000008
【図７】
2016091448.tif 000009
【図８】
2016091448.tif 000010
【図９】
2016091448.tif 000011
【図１０】
2016091448.tif 000012